(57)【要約】【課題】鉛筆に嵩が張らないような転がり止め構造や表示部材を設ける。【解決手段】軸11の側面に外方へ突出する転がり止め部材21が形成された鉛筆10。軸11の一端が縮径切削され、そこに装着される後端部材20を備えた鉛筆10であって、該後端部材20の外径は軸11の外径と略同一であるとともに、前記転がり止め部材21は該後端部材20の側面に設けられる。前記転がり止め部材21には、板状の表示部材30が取り付け可能である。前記表示部材30には、前記転がり止め部材21と係合する陥凹部31が形成されている。【選択図】図１
2009214411.tif 000002
【特許請求の範囲】
【請求項１】
軸の側面に外方へ突出する転がり止め部材が形成されたことを特徴とする鉛筆。
【請求項２】
軸の一端が縮径切削され、そこに装着される後端部材を備えた鉛筆であって、
該後端部材の外径は軸の外径と略同一であるとともに、
前記転がり止め部材は該後端部材の側面に設けられることを特徴とする請求項１記載の鉛筆。
【請求項３】
前記転がり止め部材には、板状の表示部材が取り付け可能であることを特徴とする請求項１又は２記載の鉛筆。
【請求項４】
前記表示部材には、前記転がり止め部材と係合する陥凹部が形成されていることを特徴とする請求項３記載の鉛筆。
【請求項５】
前記転がり止め部材は取付突条として設けられているとともに、
前記陥凹部は、該取付突条と嵌合する取付溝として形成されていることを特徴とする請求項４記載の鉛筆。
【請求項６】
前記転がり止め部材は取付突起として設けられているとともに、
前記陥凹部は、該取付突起と嵌合する取付孔として形成されていることを特徴とする請求項４記載の鉛筆。
【発明の詳細な説明】
【技術分野】
【０００１】
本発明は、転がり止め構造が設けられた鉛筆、さらにその転がり止め構造を利用して表示部材を設けることのできる鉛筆に関する。
【背景技術】
【０００２】
鉛筆には断面形状が円形のものも存在するが、転がりにくさと握りやすさとの両立を考慮して、断面形状が正六角形のものが圧倒的に多い。
ところで、筆記具にはポケット等に差して持ち運ぶためにクリップが設けられているものもあるが、このクリップが机等の上で転がるのを阻止する機能を有していたりする。このクリップには、特許文献１及び特許文献２に示すように、装飾部材が装着されることもある。
また、鉛筆の両端は切りっぱなしになっているものが多いが、中には、高級感を醸し出すための装飾用として、下記特許文献３記載のように、後端部分にキャップ用の構造物を装着するものも提供されていた。
【特許文献１】特開平１０−２４７０６０号公報
【特許文献２】特開平１０−２７８４８３号公報
【特許文献３】特開２００２−５９６８５号公報
【発明の開示】
【発明が解決しようとする課題】
【０００３】
上記従来技術のようなクリップや装飾部材を鉛筆に設ければ転がり止めや表示機能も付与することは可能ではあるが、鉛筆の側面は取付保持面積が比較的小さく固定が容易ではない。また、このようなクリップ等で嵩が張ることになり、筆箱等に収納する際に支障が生ずることともなる。
上記の点に鑑み、本発明は、鉛筆に嵩が張らないような転がり止め構造や表示部材を設けることを課題とする。
【課題を解決するための手段】
【０００４】
上記の課題に鑑み、本発明に係る鉛筆10は、軸11の側面に外方へ突出する転がり止め部材21が形成されたことを特徴とする。
「転がり止め部材21」とは、軸11の側面から突出する構造であって、これにより鉛筆10の転がりを防止する目的で設けられるものである。この転がり止め部材21は、鉛筆製造の際、削り出すことで形成しても良いし、また、別に構成した部材を装着することで形成することとしても良い。この転がり止め部材21が設けられる位置は軸11の側面上であれば特に限定されるものではないが、筆記のために把持する際の妨げにならぬよう、軸11の端部付近とすることが望ましい。
【０００５】
鉛筆10の断面形状については、一般的な正六角形はもちろん、円形あるいは正五角形など、回転応力が加われば容易に転がるような形状であれば特に限定はない。
また、本発明に係る鉛筆10は、軸11の一端が縮径切削され、そこに装着される後端部材20を備えた鉛筆10であって、該後端部材20の外径は軸11の外径と略同一であるとともに、前記転がり止め部材21は該後端部材20の側面に設けられることとしてもよい。
つまり、鉛筆10の軸11とは別体に形成された後端部材20に転がり止め部材21を設け、この後端部材20を軸11の縮径切削された一端に装着されることが可能となっている。ここで、後端部材20の外径は軸11の外径と略同一であるため、後端部材20あるいは転がり止め部材21の存在で嵩が張ることはない。ここで、この装着の方法としては、単に後端部材20に縮径部分を圧入することとしてもよいが、取り外しを防止する必要がある場合には、接着により固定することとしてもよい。
【０００６】
さらに、本発明に係る鉛筆10は、前記転がり止め部材21には、板状の表示部材30が取り付け可能であることとしてもよい。
この「表示部材30」には、たとえば、持ち主の名前が書けるように空白を設けたり、会社名等の名入れ印刷ができるようにしたり、また、キャラクタ等が印刷されていたりしてもよい。表示部材30の形状については特に限定はないが、筆箱等への収容の便を考慮して軸11の径以下とすることが望ましい。さらに、長方形状や円形状に形成してもよいし、キャラクタ等の形状をかたどることとしてもよい。
また、前記表示部材30には、前記転がり止め部材21と係合する陥凹部31が形成されていることが望ましい。この陥凹部31により、この表示部材30は、転がり止め部材21に対し着脱自在に形成することとしてもよいし、また接着等により固定的に装着されることとしてもよい。
【０００７】
さらに、前記転がり止め部材21は取付突条22として設けられているとともに、前記陥凹部31は、該取付突条22と嵌合する取付溝32として形成されていることとしてもよい。ここでこの「取付突条22」及び「取付溝32」の断面形状は、外方へ向かってやや幅が拡がった逆台形とすることもできる。そうすれば、互いに係合した際の外方向への抜け止めとして作用させることが可能となる。
一方、前記転がり止め部材21は取付突起23として設けられているとともに、前記陥凹部31は、該取付突起23と嵌合する取付孔33として形成されていることとしてもよい。また、前記の取付突条22・取付溝32構造に加えてこの取付突起23・取付孔33構造にさらに設けることとしてもよい。
【発明の効果】
【０００８】
本発明は上記の通り構成されているので、鉛筆に嵩が張らないような転がり止め構造や表示部材を設けることが可能となっている。
【発明を実施するための最良の形態】
【０００９】
本発明の実施の形態を、図面を参照しつつ説明する。
（１）第１の実施の形態
図１は、本発明の第１の実施の形態に係る鉛筆10を、（Ａ）正面図、（Ｂ）右側面図（左側面図はこれと対称に現れる）、（Ｃ）背面図、（Ｄ）平面図、（Ｅ）底面図、（Ｆ）（Ａ）のI−I断面図及び（Ｇ）（Ｂ）のII−II断面図で示したものである。
鉛筆10は、断面正六角形（図１（Ｅ））の軸11の中心に芯12を包含しており、この軸11の後端が断面円形に縮径切削された取付部13とされている（図１（Ｆ）及び（Ｇ））。この取付部13に、短円筒形で後端が略半球状に形成された後端部材20が取り付けられている。後端部材20の直径は、軸11の最大径とほぼ同一である。
【００１０】
この後端部材20の側面には、長辺が軸心方向に沿った長方形状の取付突条22が形成されている（図１（Ｆ）及び（Ｇ））。この取付突条22は、それ自体でも鉛筆10の転がりを防ぐ転がり止め部材21として機能するが、ここには略長方形板状の表示部材30が取り付けられる。
図２は、後端部材20を取り付ける前の状態の鉛筆10の軸11を、（Ａ）正面図（背面図はこれと同一に現れる）、（Ｂ）右側面図（左側面図はこれと同一に現れる）、（Ｃ）平面図、（Ｄ）底面図及び（Ｅ）（Ａ）のIII−III断面図で示したものである。軸11の後端部分が、断面円形に縮径切削されて取付部13として形成されている。
【００１１】
図３は、軸11の後端に形成された取付部13に装着される後端部材20を、（Ａ）正面図、（Ｂ）右側面図（左側面図はこれと対称に現れる）、（Ｃ）背面図、（Ｄ）平面図、（Ｅ）底面図及び（Ｆ）（Ａ）のIV−IV断面図で示したものである。後端部材20の正面部分に設けられる、長方形状の転がり止め部材21は、取付突条22として形成されており、その断面形状は、外方に向かってやや拡がった逆台形状となっている（図３（Ｄ））。
図４は、後端部材20の転がり止め部材21に装着される表示部材30を、（Ａ）正面図、（Ｂ）右側面図（左側面図はこれと同一に現れる）、（Ｃ）背面図、（Ｄ）平面図、（Ｅ）底面図及び（Ｆ）（Ａ）のV−V断面図で示したものである。
【００１２】
表示部材30の幅は軸11の最大径とほぼ同一であって、また、その正面は平滑に形成されており（図４（Ａ））、ここに持ち主の氏名等を記入できるようになっている。また、この部分にあらかじめ、氏名や社名等を印刷しておいたり、キャラクタ等の絵や模様などを印刷しておくこととしてもよい。
表示部材30の背面には、転がり止め部材21との係合に用いられる陥凹部31としての取付溝32が形成されている（図４（Ｃ）、（Ｄ）及び（Ｆ））。この取付溝32は転がり止め部材21としての取付突条22の断面形状と同様、外方に向かってやや拡がった逆台形状となっている（図４（Ｄ））。この取付溝32は表示部材30の平面側の辺に開いており（図４（Ｃ）、（Ｄ）及び（Ｆ））、ここから転がり止め部材21をスライドさせて挿入することが可能となっている。
【００１３】
図４に示す表示部材30を図３に示す後端部材20に装着し、そしてこれを図２の軸11の後端の取付部13に装着することで、図１に示す鉛筆10が形成されることになる。この際、それぞれの部材の装着は着脱可能にしてもよいが、接着剤等で固定することとしてもよい。
（２）第２の実施の形態
図５は、本発明の第２の実施の形態に係る鉛筆10を、（Ａ）正面図、（Ｂ）右側面図（左側面図はこれと対称に現れる）、（Ｃ）背面図、（Ｄ）平面図、（Ｅ）底面図、（Ｆ）（Ａ）のVI−VI断面図及び（Ｇ）（Ｂ）のVII−VII断面図で示したものである。
鉛筆10は、断面正六角形（図５（Ｅ））の軸11の中心に芯12を包含しており、この軸11の後端が断面円形に縮径切削された取付部13とされている（図５（Ｆ）及び（Ｇ））。この取付部13に、短円筒形で後端が略半球状に形成された後端部材20が取り付けられている。後端部材20の直径は、軸11の最大径とほぼ同一である。
【００１４】
この後端部材20の側面には、長辺が軸心方向に沿った長方形状の取付突条22が形成されている（図５（Ｆ）及び（Ｇ））。この取付突条22は、それ自体でも鉛筆10の転がりを防ぐ転がり止め部材21として機能するが、ここには略長方形板状の表示部材30が取り付けられる。
本実施の形態における、後端部材20を取り付ける前の状態の鉛筆10の軸11は、前記第１の実施の形態における図２と全く同様である。
図６は、軸11の後端に形成された取付部13に装着される後端部材20を、（Ａ）正面図、（Ｂ）右側面図（左側面図はこれと対称に現れる）、（Ｃ）背面図、（Ｄ）平面図、（Ｅ）底面図及び（Ｆ）（Ａ）のVIII−VIII断面図で示したものである。後端部材20の正面部分に設けられる、長方形状の転がり止め部材21は、取付突起23として形成されており、その断面形状は、外方に向かってやや拡がった逆台形状となっている（図３（Ｄ））。また、この取付突起23のほぼ中央部に補助固定孔24が設けられている。
【００１５】
図７は、後端部材20の転がり止め部材21に装着される表示部材30を、（Ａ）正面図、（Ｂ）右側面図（左側面図はこれと同一に現れる）、（Ｃ）背面図、（Ｄ）平面図、（Ｅ）底面図及び（Ｆ）（Ａ）のIX−IX断面図で示したものである。
表示部材30の幅は軸11の最大径とほぼ同一であって、また、その正面は平滑に形成されており（図７（Ａ））、ここに持ち主の氏名等を記入できるようになっている。また、この部分にあらかじめ、氏名や社名等を印刷しておいたり、キャラクタ等の絵や模様などを印刷しておくこととしてもよい。
表示部材30の背面には、転がり止め部材21との係合に用いられる陥凹部31としての取付孔33が形成されている（図７（Ｃ）及び（Ｆ））。この取付孔33のほぼ中央部からは、転がり止め部材21としての取付突起23に設けられた補助固定孔24に嵌合する補助固定突起34が突出している（図７（Ｃ）及び（Ｆ））。
【００１６】
図７に示す表示部材30を図６に示す後端部材20に嵌め込んで装着し、そしてこれを図２の軸11の後端の取付部13に装着することで、図５に示す鉛筆10が形成されることになる。この際、それぞれの部材の装着は着脱可能にしてもよいが、接着剤等で固定することとしてもよい。
【図面の簡単な説明】
【００１７】
【図１】本発明の第１の実施の形態に係る鉛筆を、（Ａ）正面図、（Ｂ）右側面図（左側面図はこれと対称に現れる）、（Ｃ）背面図、（Ｄ）平面図、（Ｅ）底面図、（Ｆ）（Ａ）のI−I断面図及び（Ｇ）（Ｂ）のII−II断面図で示したものである。
【図２】本発明の第１の実施の形態及び第２の実施の形態において、後端部材を取り付ける前の状態の鉛筆の軸を、（Ａ）正面図（背面図はこれと同一に現れる）、（Ｂ）右側面図（左側面図はこれと同一に現れる）、（Ｃ）平面図、（Ｄ）底面図及び（Ｅ）（Ａ）のIII−III断面図で示したものである。
【図３】本発明の第１の実施の形態において、軸の後端に形成された取付部に装着される後端部材を、（Ａ）正面図、（Ｂ）右側面図（左側面図はこれと対称に現れる）、（Ｃ）背面図、（Ｄ）平面図、（Ｅ）底面図及び（Ｆ）（Ａ）のIV−IV断面図で示したものである。
【図４】本発明の第１の実施の形態において、後端部材の転がり止め部材に装着される表示部材を、（Ａ）正面図、（Ｂ）右側面図（左側面図はこれと同一に現れる）、（Ｃ）背面図、（Ｄ）平面図、（Ｅ）底面図及び（Ｆ）（Ａ）のV−V断面図で示したものである。
【図５】本発明の第２の実施の形態に係る鉛筆を、（Ａ）正面図、（Ｂ）右側面図（左側面図はこれと対称に現れる）、（Ｃ）背面図、（Ｄ）平面図、（Ｅ）底面図、（Ｆ）（Ａ）のVI−VI断面図及び（Ｇ）（Ｂ）のVII−VII断面図で示したものである。
【図６】本発明の第２の実施の形態において、軸の後端に形成された取付部に装着される後端部材を、（Ａ）正面図、（Ｂ）右側面図（左側面図はこれと対称に現れる）、（Ｃ）背面図、（Ｄ）平面図、（Ｅ）底面図及び（Ｆ）（Ａ）のVIII−VIII断面図で示したものである。
【図７】本発明の第２の実施の形態において、後端部材の転がり止め部材に装着される表示部材を、（Ａ）正面図、（Ｂ）右側面図（左側面図はこれと同一に現れる）、（Ｃ）背面図、（Ｄ）平面図、（Ｅ）底面図及び（Ｆ）（Ａ）のIX−IX断面図で示したものである。
【符号の説明】
【００１８】
10  鉛筆                  11  軸                    12  芯
13  取付部
20  後端部材              21  転がり止め部材        22  取付突条
23  取付突起              24  補助固定孔
30  表示部材              31  陥凹部                32  取付溝
33  取付孔                34  補助固定突起
【図１】
2009214411.tif 000003
【図２】
2009214411.tif 000004
【図３】
2009214411.tif 000005
【図４】
2009214411.tif 000006
【図５】
2009214411.tif 000007
【図６】
2009214411.tif 000008
【図７】
2009214411.tif 000009